【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
各々、レンタル対象を保管する複数のステーションにおいてレンタル対象の貸出しまたは返却をユーザに対して行うレンタル・システムであって、
各ステーションの位置に設置され、そのステーションを特定するためのステーション情報であって暗号化されたものを出力するステーション情報出力装置と、
各レンタル対象の位置に設置され、そのレンタル対象を特定するためのレンタル対象情報を出力するレンタル対象情報出力装置と、
いずれかのステーションの位置においていずれかのレンタル対象の貸出しまたは返却を希望するユーザの携帯端末と通信することにより、前記複数のステーションを集中的に管理する管理サーバと
を含み、
ユーザは、そのユーザが実際に居るいずれかのステーションの位置において、そのいずれかのステーションについて生成されたステーション情報と、そのいずれかのステーションにおいてユーザが貸出しまたは返却を希望するいずれかのレンタル対象について生成されたレンタル対象情報とを取得し、それら取得したステーション情報とレンタル対象情報とを前記携帯端末を介して前記管理サーバに送信し、
前記管理サーバは、
前記携帯端末から前記ステーション情報と前記レンタル対象情報とを受信する受信部と、
前記受信したステーション情報に基づき、暗号解読により、ユーザが実際に居るステーションを特定するステーション特定部と、
前記受信したレンタル対象情報に基づき、ユーザが貸出しまたは返却を希望するレンタル対象を特定するレンタル対象特定部と
を含むレンタル・システム。
【請求項２】
前記管理サーバは、さらに、
前記貸出しまたは前記返却が行われた時刻と現在時刻との差が許容値以下であることを条件に、ユーザに対し、前記特定されたステーションにおいて、前記特定されたレンタル対象の貸出しまたは返却を許可する許可部を含む請求項１に記載のレンタル・システム。
【請求項３】
前記管理サーバは、さらに、
前記特定されたレンタル対象に関連付けて、前記特定されたステーションと、ユーザが貸出しまたは返却を行った時刻とをメモリに保存する保存部を含む請求項１または２に記載のレンタル・システム。
【請求項４】
前記管理サーバは、さらに、
前記許可部がユーザに対して前記特定されたレンタル対象の貸出しまたは返却を許可すると、その特定されたレンタル対象に固有の暗証番号を前記携帯端末に送信する送信部を含む請求項１ないし３のいずれかに記載のレンタル・システム。
【請求項５】
請求項１ないし４のいずれかに記載の管理サーバとして機能させるためのプログラム。
【請求項６】
請求項５に記載のプログラムをコンピュータ読み取り可能に記録した記録媒体。
【手続補正２】
【補正対象書類名】明細書
【補正対象項目名】００２０
【補正方法】変更
【補正の内容】
【００２０】
その課題を解決するために、本発明のあるアスペクトによれば、各々、レンタル対象を保管する複数のステーションにおいてレンタル対象の貸出しまたは返却をユーザに対して行うレンタル・システムであって、
各ステーションの位置に設置され、そのステーションを特定するためのステーション情報であって暗号化されたものを出力するステーション情報出力装置と、
各レンタル対象の位置に設置され、そのレンタル対象を特定するためのレンタル対象情報を出力するレンタル対象情報出力装置と、
いずれかのステーションの位置においていずれかのレンタル対象の貸出しまたは返却を希望するユーザの携帯端末と通信することにより、前記複数のステーションを集中的に管理する管理サーバと
を含み、
ユーザは、そのユーザが実際に居るいずれかのステーションの位置において、そのいずれかのステーションについて生成されたステーション情報と、そのいずれかのステーションにおいてユーザが貸出しまたは返却を希望するいずれかのレンタル対象について生成されたレンタル対象情報とを取得し、それら取得したステーション情報とレンタル対象情報とを前記携帯端末を介して前記管理サーバに送信し、
前記管理サーバは、
前記携帯端末から前記ステーション情報と前記レンタル対象情報とを受信する受信部と、
前記受信したステーション情報に基づき、暗号解読により、ユーザが実際に居るステーションを特定するステーション特定部と、
前記受信したレンタル対象情報に基づき、ユーザが貸出しまたは返却を希望するレンタル対象を特定するレンタル対象特定部と
を含むレンタル・システムが提供される。
本発明の別のアスペクトによれば、各々、レンタル対象を保管する複数のステーションにおいてレンタル対象の貸出しまたは返却をユーザに対して行うレンタル・システムであって、
各ステーションの位置に設置され、そのステーションを特定するためのステーション情報であって暗号化されたものを出力するステーション情報出力装置と、
各レンタル対象の位置に設置され、そのレンタル対象を特定するためのレンタル対象情報を出力するレンタル対象情報出力装置と、
いずれかのステーションの位置においていずれかのレンタル対象の貸出しまたは返却を希望するユーザの携帯端末と通信することにより、前記複数のステーションを集中的に管理する管理サーバと
を含み、
ユーザは、そのユーザが実際に居るいずれかのステーションの位置において、そのいずれかのステーションについて生成されたステーション情報と、そのいずれかのステーションにおいてユーザが貸出しまたは返却を希望するいずれかのレンタル対象について生成されたレンタル対象情報とを取得し、それら取得したステーション情報とレンタル対象情報とを前記携帯端末を介して前記管理サーバに送信し、
前記管理サーバは、
前記携帯端末から前記ステーション情報と前記レンタル対象情報とを受信する受信部と、
前記受信したステーション情報に基づき、暗号解読により、ユーザが実際に居るステーションを特定するステーション特定部と、
前記受信したレンタル対象情報に基づき、ユーザが貸出しまたは返却を希望するレンタル対象を特定するレンタル対象特定部と、
前記貸出しまたは前記返却が行われた時刻と現在時刻との差が許容値以下であることを条件に、ユーザに対し、前記特定されたステーションにおいて、前記特定されたレンタル対象の貸出しまたは返却を許可する許可部と
を含むレンタル・システムが提供される。
本発明の第１側面によれば、各々、レンタル自転車を保管する複数のステーションにおいてレンタル自転車の貸出および返却をユーザに対して行う自転車レンタル・システムであって、
各ステーションに固有のステーションＩＤを暗号化することにより、暗号を生成する暗号化部と、
各ステーションの位置において、前記生成された暗号を表示する表示部と、
いずれかのステーションを利用するユーザの通信機器と通信することにより、前記複数のステーションを集中的に管理する管理サーバと
を含み、
その管理サーバは、
いずれかのステーションに居るユーザの通信機器から前記暗号を受信する受信部と、
その受信した暗号を解読し、それにより、対応するステーションＩＤを復元し、それにより、ユーザが実際に居るステーションを特定する暗号解読部と
を含み、
前記複数のステーションの位置においてそれぞれ表示される複数の暗号は、ステーション位置に関して動的な動的暗号である自転車レンタル・システムが提供される。
【手続補正３】
【補正対象書類名】明細書
【補正対象項目名】発明の名称
【補正方法】変更
【補正の内容】
【発明の名称】レンタル・システム